(57)【要約】【課題】蓄電装置および他の機器の接続が簡易な蓄電装置を提供する。【解決手段】蓄電装置は、積層された複数のバイポーラ電極板を含む蓄電ユニット１０と、蓄電ユニット１０に設けられた集電板１１および集電板１２と、集電板１１に設けられた端子１３と、集電板１２に設けられた端子１４と、蓄電ユニット１０に設けられた少なくとも１つのセンサと、センサに接続された少なくとも１つの配線とを備え、蓄電ユニット１０は、方向Ｈにおける蓄電ユニット１０の一端に位置する端面２０と、積層方向における蓄電ユニット１０の他端に位置する端面２１と、端面２０および端面２１を接続する側面２２と、側面２２と反対側に位置する側面２３とを含み、端子１３および端子１４は、側面２２側に設けられており、側面２２側に配置された機器に接続され、配線は、側面２２から側面２３に向かう方向に延び、側面２３側に設けられた機器に接続された。【選択図】図２
2019197670.tif 000002
【特許請求の範囲】
【請求項１】
蓄電ユニットと、
前記蓄電ユニットに設けられた第１集電板および第２集電板と、
前記第１集電板に設けられた第１端子と、
前記第２集電板に設けられた第２端子と、
前記蓄電ユニットに設けられた少なくとも１つのセンサと、
前記センサに接続された少なくとも１つの配線と、
を備え、
前記蓄電ユニットは、
第１側面と、
前記第１側面と反対側に位置する第２側面とを含み、
前記第１端子および前記第２端子は、前記第１側面側に設けられており、前記第１側面側に配置された第１機器に接続され、
前記配線は、前記第１側面から前記第２側面に向かう方向に延び、前記第２側面側に設けられた第２機器に接続された、蓄電装置。
【請求項２】
前記蓄電ユニットは、第１方向に配列する第１端面および第２端面を含み、
前記第１端面および前記第２端面を接続するように前記第１側面および前記第２側面が設けられており、
前記第１集電板は前記第１端面に設けられており、前記第２集電板は前記第２端面に設けられており、
前記蓄電ユニットは、前記第１方向に配列する複数のバイポーラ電極板を含む、請求項１に記載の蓄電装置。
【請求項３】
前記蓄電ユニットを収容する収容ケースと、
前記第１側面側から前記収容ケース内に冷却風を供給するファンと、
をさらに備え、
前記蓄電ユニットは、前記第１側面および前記第２側面の間に位置する第３側面と、前記第３側面と反対側に位置する第４側面とを含み、
前記収容ケースの壁面と、前記蓄電ユニットの前記第３側面との間には、前記冷却風が流れ込む通風路が形成されており、
前記蓄電ユニットは、
前記通風路を通った前記冷却風が流れ込む冷却通路が複数形成された少なくとも１つの冷却板を含み、
前記冷却通路は、前記第１側面側から前記第２側面側に向けて複数形成されており、
前記通風路における前記冷却風の流路面積は、前記第１側面側から前記第２側面側に向かうにつれて小さくなる、請求項１または請求項２に記載の蓄電装置。
【請求項４】
前記蓄電ユニットは、第１方向に配列する第１端面および第２端面を含み、
前記冷却板は、前記第１端面から前記第２端面に向けて間隔をあけて複数配置されており、
前記センサおよび前記配線は、複数設けられており、
前記センサは、前記冷却通路内に配置されており、
前記配線は、前記第３側面側から前記冷却通路から引き出されており、
前記冷却通路への前記配線の引出し位置は、前記第１側面側から前記第２側面側に向かうにつれて、前記第１端面側から前記第２端面側に向かうように配列する、請求項３に記載の蓄電装置。
【請求項５】
第１絶縁板および第２絶縁板をさらに備え、
前記蓄電ユニットは、第１方向に配列する第１端面および第２端面を含み、
前記第１集電板は、前記蓄電ユニットの前記第１端面に設けられており、
前記第２集電板は、前記蓄電ユニットの前記第２端面に設けられており、
前記第１絶縁板は、前記第１集電板および前記収容ケースの間に配置されており、
前記第２絶縁板は、前記第２集電板および前記収容ケースの間に配置されており、
前記第１絶縁板は、第１主板と、前記第１主板から前記第２絶縁板に向けて延び、前記蓄電ユニットを支持する支持部材とを含む、請求項３または請求項４に記載の蓄電装置。
【請求項６】
前記第２絶縁板は、第２主板と、前記第２主板に形成されると共に前記蓄電ユニットを支持するリブとを含む、請求項５に記載の蓄電装置。
【発明の詳細な説明】
【技術分野】
【０００１】
本開示は、蓄電装置に関する。
【背景技術】
【０００２】
従来から複数のバイポーラ電極板を積層して形成されたバイポーラ型の蓄電装置について各種提案されている。
【０００３】
たとえば、特開２００４−８７２３８号公報に記載された蓄電装置は、上下方向に積層された複数のバイポーラ電極シートと、各バイポーラ電極シート間に配置されたセパレータとを含む。バイポーラ電極シートは、板状の集電体と、集電体の表面に形成された正極活物質層と、集電体の裏面に形成された負極活物質層とを含む。
【０００４】
蓄電装置は、略直方体形状に形成されており、蓄電装置の一方の短側面には、主正極タブが形成されており、他方の端側面には、主負極タブが形成されている。すなわち、主正極タブおよび主負極タブは、互いに反対の端側面に形成されている。そして、蓄電装置の長側面には、複数の測定用タブが形成されている。
【先行技術文献】
【特許文献】
【０００５】
【特許文献１】特開２００４−８７２３８号公報
【発明の概要】
【発明が解決しようとする課題】
【０００６】
上記の蓄電装置において、主正極タブおよび主負極タブは、蓄電装置の電力を外部に供給するためのタブであり、蓄電装置の外部に設けられた駆動用機器などに接続される。
【０００７】
測定用タブは、各バイポーラ電極シートにおいて分極などが生じているかなどを測定するための測定機器に接続される。
【０００８】
主正極タブおよび主負極タブは、互いに反対の端側面に設けられているため、仮に、駆動用機器が主正極タブ側に設けられている場合には、主負極タブに接続する電力配線を引き回す必要がある。
【０００９】
その一方で、長側面に形成された複数の測定用タブと、測定機器とを測定用配線で接続する必要もある。
【００１０】
電力配線および測定用配線の引き回し方によっては、各配線が入り乱れやすく、蓄電装置および各機器と、各配線との接続が困難となり易い。
【００１１】
本開示は、上記のような課題に鑑みてなされたものであって、その目的は、蓄電装置および他の機器の接続が簡易な蓄電装置を提供することである。
【課題を解決するための手段】
【００１２】
本開示に係る蓄電装置は、蓄電ユニットと、蓄電ユニットに設けられた第１集電板および第２集電板と、第１集電板に設けられた第１端子と、第２集電板に設けられた第２端子と、蓄電ユニットに設けられた少なくとも１つのセンサと、センサに接続された少なくとも１つの配線とを備える。
【００１３】
上記蓄電ユニットは、第１側面と、第１側面と反対側に位置する第２側面とを含み、第１端子および第２端子は、第１側面側に設けられており、第１側面側に配置された第１機器に接続され、配線は、第１側面から第２側面に向かう方向に延び、第２側面側に設けられた第２機器に接続された。
【００１４】
上記の蓄電装置によれば、第１端子および第２端子と第１機器を接続する電力配線は、第１側面側に引き出され、第２機器に接続される配線は第２側面側に引き出される。このため、電力配線および第１機器を接続したり、配線および第２機器を接続することを簡単に行うことができる。
【００１５】
上記の蓄電装置において、上記蓄電ユニットは、第１方向に配列する第１端面および第２端面を含む。上記第１端面および第２端面を接続するように第１側面および第２側面が設けられており、第１集電板は第１端面に設けられており、第２集電板は第２端面に設けられており、蓄電ユニットは、第１方向に配列する複数のバイポーラ電極板を含む。上記の蓄電装置によれば、蓄電装置の電流抵抗を低くすることができる。
【００１６】
上記の蓄電装置は、蓄電ユニットを収容する収容ケースと、第１側面側から収容ケース内に冷却風を供給するファンとをさらに備える。上記蓄電ユニットは、第１側面および第２側面の間に位置する第３側面と、第３側面と反対側に位置する第４側面とを含む。上記収容ケースの壁面と、蓄電ユニットの第３側面との間には、冷却風が流れ込む通風路が形成されている。上記蓄電ユニットは、通風路を通った冷却風が流れ込む冷却通路が複数形成された少なくとも１つの冷却板を含む。上記冷却通路は、第１側面側から第２側面側に向けて複数形成されており、通風路における冷却風の流路面積は、第１側面側から第２側面側に向かうにつれて小さくなる。
【００１７】
上記の蓄電装置によれば、通風路の上流側から下流側に向かうにつれて、流通面積が小さくなるため、下流側における冷却風の圧力は上流側の内圧よりも高くなり易い。そのため、通風路の下流側に冷却風が流れるまでの流路抵抗によって、冷却風が通風路の下流側に位置する冷却通路内に入り込み難かったとしても、通風路の下流側において、冷却風の圧力が高いため、下流側の冷却通路にも冷却風を流すことができる。これにより、各冷却通路を流れる冷却風の流通量にばらつきが生じることを抑制することができる。
【００１８】
上記の蓄電装置において、蓄電ユニットは、第１方向に配列する第１端面および第２端面を含み、冷却板は、第１端面から第２端面に向けて間隔をあけて複数配置されている。上記センサおよび配線は、複数設けられており、センサは、冷却通路内に配置されている。上記記配線は、第３側面側から冷却通路から引き出されている。上記冷却通路への配線の引出し位置は、第１側面側から第２側面側に向かうにつれて、第１端面側から第２端面側に向かうように配列する。
【００１９】
上記の蓄電装置によれば、通風路内の配線数も上流側から下流側に向かうにつれて多くなる。これにより、通風路の流路面積も、上流側から下流側に向かうにつれて小さくなり、下流側に向かうにつれて、通風路内の内圧を高くすることができる。
【００２０】
上記の蓄電装置は、第１絶縁板および第２絶縁板をさらに備える。上記蓄電ユニットは、第１方向に配列する第１端面および第２端面を含む。上記第１集電板は、蓄電ユニットの第１端面に設けられており、第２集電板は、蓄電ユニットの第２端面に設けられている。上記第１絶縁板は、第１集電板および収容ケースの間に配置されており、第２絶縁板は、第２集電板および収容ケースの間に配置されている。上記第１絶縁板は、第１主板と、第１主板から第２絶縁板に向けて延び、蓄電ユニットを支持する支持部材とを含む。
【００２１】
上記の蓄電装置によれば、蓄電ユニット、第１集電板および第２集電板と、収容ケースとを絶縁することができる。さらに、蓄電ユニットが第１絶縁板に対して位置ずれすることを抑制することができる。
【００２２】
上記の蓄電装置において、第２絶縁板は、第２主板と、第２主板に形成されると共に蓄電ユニットを支持するリブとを含む。
【００２３】
上記の蓄電装置によれば、第２絶縁板が蓄電ユニットに対して位置ずれすることを抑制することができる。
【発明の効果】
【００２４】
本開示に係る蓄電装置によれば、蓄電装置および他の機器の接続が簡易な蓄電装置を提供することである。
【図面の簡単な説明】
【００２５】
【図１】本実施の形態に係るバッテリアッセンブリ１を示す斜視図である。
【図２】蓄電パック８を示す分解斜視図である。
【図３】絶縁板１７を示す斜視図である。
【図４】絶縁板１６を示す斜視図である。
【図５】蓄電ユニット１０などを示す斜視図である。
【図６】蓄電ユニット１０などを示す断面図である。
【図７】蓄電モジュール６０を示す断面図である。
【図８】長側面２４側から見たときにおいて、蓄電ユニット１０などを示す側面図である。
【図９】蓄電パック８を模式的に示す断面図である。
【図１０】蓄電パック８の組立過程を模式的に示す斜視図である。
【発明を実施するための形態】
【００２６】
図１から図１０を用いて、本実施の形態に係る蓄電装置について説明する。図１から図１０に示す構成のうち、同一または実質的に同一の構成については、同一の符号を付して重複した説明を省略する場合がある。なお、実施の形態に示す構成において、請求項に記載された構成に対応する構成には、括弧書きで請求項の構成を併記する場合がある。
【００２７】
図１は、本実施の形態に係るバッテリアッセンブリ１を示す斜視図である。バッテリアッセンブリ１は、ベース板２と、蓄電装置３と、接続装置（第１機器）６と、監視ユニット（第２機器）７とを備える。
【００２８】
ベース板２は、金属製の板状部材である。蓄電装置３は、ベース板２の上面に設けられている。
【００２９】
蓄電装置３は、送風ファン４と、送風ダクト５と、蓄電パック８とを含む。蓄電パック８は、ベース板２の上面に設けられている。
【００３０】
送風ファン４は、蓄電装置３から長手方向Ｌに間隔をあけて、ベース板２の上面に設けられている。送風ダクト５は、送風ファン４および蓄電装置３を接続するように設けられている。そして、送風ファン４が駆動すると、送風ダクト５から蓄電パック８内に冷却風が供給される。
【００３１】
接続装置６は、送風ファン４および蓄電装置３の間に配置されており、蓄電装置３と隣り合うようにベース板２の上面に設けられている。接続装置６内には、たとえば、ＳＭＲ（system main relay）などのリレーが収容されている。
【００３２】
監視ユニット７は、蓄電装置３に対し接続装置６と反対側に設けられている。監視ユニット７は、蓄電ユニット１０に設けられたセンサに接続されており、蓄電ユニット１０の状態を監視する。
【００３３】
図２は、蓄電パック８を示す分解斜視図である。
蓄電パック８は、蓄電ユニット１０と、正極集電板１１と、負極集電板１２と、正極端子（第１端子）１３と、負極端子（第２端子）１４と、収容ケース１５と、絶縁板１６，１７とを含む。蓄電ユニット１０は、略直方体形状に形成されている。
【００３４】
蓄電ユニット１０は、下端面（第１端面）２０と、上端面（第２端面）２１と、短側面（第１側面）２２と、短側面（第２側面）２３と、長側面（第３側面）２４と、長側面（第４側面）２５とを含む。
【００３５】
下端面２０は高さ方向Ｈにおいて蓄電ユニット１０の下端に位置しており、上端面２１は、高さ方向Ｈにおいて上端に位置している。短側面２２，２３と、長側面２４，２５とは、上端面２１および短側面２２を接続する。なお、短側面２２および短側面２３は、長手方向Ｌに配列しており、短側面２３は短側面２２の反対側に位置している。長側面２４および長側面２５は、幅方向Ｗに配列しており、長側面２５は長側面２４の反対側に位置している。なお、蓄電ユニット１０の構成の詳細については、後述する。
【００３６】
正極集電板１１は蓄電ユニット１０の下端面２０に設けられており、正極端子１３は正極集電板１１に接続されている。負極集電板１２は蓄電ユニット１０の上端面２１に設けられており、負極端子１４は負極集電板１２に接続されている。
【００３７】
正極端子１３および負極端子１４は、蓄電ユニット１０の短側面２２に設けられている。正極端子１３は電力配線２６によって接続装置６に接続されており、負極端子１４は電力配線２７によって接続装置６に接続されている。
【００３８】
収容ケース１５は、蓄電ユニット１０、正極集電板１１、負極集電板１２および絶縁板１６，１７を内部に収容する。
【００３９】
絶縁板１６は、正極集電板１１の下面側に配置されており、絶縁板１７は負極集電板１２の上面側に配置されている。
【００４０】
収容ケース１５は、底板３４と、天板３５と、短側板３６，３７と、長側板３８，３９とを含む。底板３４は、絶縁板１６の下面側に配置されている。天板３５は、絶縁板１７の上面側に配置されている。短側板３６，３７は、蓄電ユニット１０の短側面２２，２３側に配置されている。長側板３８，３９は、蓄電ユニット１０の長側面２４，２５側に配置されている。
【００４１】
底板３４は、複数のボルト４０によって、短側板３６，３７および長側板３８，３９に固定されている。天板３５は複数のボルト４１によって、短側板３６，３７および長側板３８，３９に固定されている。
【００４２】
そして、ボルト４０，４１の締結力によって、底板３４および天板３５が蓄電ユニット１０および絶縁板１６，１７を挟み込むと共に、蓄電ユニット１０および絶縁板１６，１７を拘束している。なお、底板３４、天板３５、短側板３６，３７、長側板３８，３９は、たとえば、鉄などの金属によって形成されており、収容ケース１５の剛性が確保されている。
【００４３】
短側板３６には、幅方向Ｗに間隔をあけて複数の開口部４２が形成されている。なお、複数の開口部４２のうち、蓄電ユニット１０の長側面２４側に位置する開口部４２Ａに、図１に示す送風ダクト５が挿入される。短側板３６の上辺には、幅方向Ｗに間隔をあけて凹部４６，４７が形成されている。凹部４６には負極端子１４が配置され、凹部４７には正極端子１３が配置されている。短側板３７にも幅方向Ｗに間隔をあけて複数の開口部４３が形成されている。
【００４４】
長側板３８には、１つの開口部４８が形成されている。開口部４８は、蓄電ユニット１０の短側面２３側に形成されている。長側板３９には、複数の開口部４９が長手方向Ｌに間隔をあけて形成されている。
【００４５】
このように、収容ケース１５には、複数の開口部が形成されているので、収容ケース１５内に収容された蓄電ユニット１０を蓄電パック８の外部から視認することができる。さらに、図１に示す送風ファン４によって、蓄電パック８内に供給された冷却風が蓄電ユニット１０を冷却した後、蓄電パック８の外部に抜けやすく、冷却風の流通抵抗の低減が図られている。
【００４６】
図３は、絶縁板１７を示す斜視図である。絶縁板１７は、主板（第１主板）５０と、複数の支持部材５１Ａ，５１Ｂ，５１Ｃとを含む。主板５０は、板状に形成されており、略長方形形状に形成されている。各支持部材５１Ａ，５１Ｂ，５１Ｃは、主板５０の下面から絶縁板１６に向けて延びるように形成されている。
【００４７】
支持部材５１Ａは、図２において、蓄電ユニット１０の短側面２２および長側面２５を支持する。支持部材５１Ｂは、長側面２５および短側面２３を支持する。支持部材５１Ｃは、短側面２３および長側面２４を支持する。なお、絶縁板１７には、短側面２２および長側面２４を支持するような支持部材は設けられていない。
【００４８】
上記のように、複数の支持部材５１Ａ，５１Ｂ，５１Ｃが蓄電ユニット１０を支持しており、蓄電ユニット１０が収容ケース１５内で位置ずれすることが抑制されている。
【００４９】
図４は、絶縁板１６を示す斜視図である。絶縁板１６は、底板（第２主板）５３と、底板５３の上面に形成されたリブ５４とを含む。リブ５４は、正極集電板１１の外周縁に沿って延びており、略環状に形成されている。リブ５４には切欠部５５が形成されている。切欠部５５には、図２に示す正極端子１３が配置される。このリブ５４によって、絶縁板１６が蓄電ユニット１０に対して位置ずれすることが抑制されている。
【００５０】
図５は、蓄電ユニット１０などを示す斜視図である。蓄電ユニット１０は、複数の蓄電モジュール６０と、複数の冷却板６１とを含む。具体的には、複数の蓄電モジュール６０は、高さ方向（一方向）Ｈに間隔をあけて配置されており、各蓄電モジュール６０の間に冷却板６１が配置されている。
【００５１】
そして、正極集電板１１は、高さ方向Ｈにおいて、蓄電ユニット１０の一端面である。下端面２０に設けられている。負極集電板１２は、高さ方向Ｈにおいて、蓄電ユニット１０の他端面である上端面２１に設けられている。
【００５２】
正極集電板１１は略長方形形状に形成されており、正極端子１３は蓄電ユニット１０の短側面２２側に位置する正極集電板１１の辺部に接続されている。そして、正極端子１３は、上方に延びると共に、負極集電板１２の近傍において、長手方向Ｌに向けて突出するように曲げられている。正極集電板１１および正極端子１３は、たとえば、ニッケルなどの金属材料によって形成されている。
【００５３】
この正極端子１３の周面には絶縁スリーブ３０が装着されている。絶縁スリーブ３０は、正極端子１３の正極集電板１１側の付根部から、正極端子１３の先端部１８の近傍にまで設けられている。このため、図２に示す凹部４７に正極端子１３が配置されたとしても、正極端子１３および短側板３６との間の絶縁性が確保されている。
【００５４】
正極端子１３の先端部１８は、絶縁スリーブ３０から露出しており、電力配線２６が接続されている。なお、先端部１８は、短側板３６よりも外方に突出した位置に設けられている。
【００５５】
負極集電板１２も長方形形状に形成されており、負極端子１４は、短側面２２側に位置する負極集電板１２の辺部に接続されている。負極端子１４は、負極集電板１２の辺部から長手方向Ｌに突出するように形成されている。
【００５６】
なお、負極集電板１２および負極端子１４は、たとえば、ニッケルなどの金属材料によって形成されている。
【００５７】
負極端子１４の周面にも絶縁スリーブ３１が装着されている。このため、図２に示す凹部４６に負極端子１４が配置されたとしても、負極端子１４および短側板３６は、互いに絶縁スリーブ３１によって絶縁されている。
【００５８】
なお、負極端子１４の先端部１９は、短側板３６よりも外側に配置されており、先端部１９に電力配線２７が接続されている。なお、先端部１９も、絶縁スリーブ３１から露出している。
【００５９】
図６は、蓄電ユニット１０などを示す断面図である。各冷却板６１は、高さ方向Ｈに間隔をあけて設けられた蓄電モジュール６０の間に配置されている。
【００６０】
図７は、蓄電モジュール６０を示す断面図である。蓄電モジュール６０は、高さ方向Ｈ（一方向）に積層された複数のバイポーラ電極板６９と、各バイポーラ電極板６９の間に配置されたセパレータ６８と、枠体６７とを含む。
【００６１】
バイポーラ電極板６９は、電極板７０と、正極層７１と、負極層７２とを含む。電極板７０は、たとえば、ニッケルから形成された金属箔である。正極層７１は、電極板７０の上面に形成されている。正極層７１は、正極活物質を含み、正極活物質としては、たとえば、水酸化ニッケルなどを含む。負極層７２は負極活物質を含み、負極活物質としては、たとえば、水素吸着合金などを含む。なお、電極板７０の縁部７４は、正極層７１や負極層７２が形成されていない未塗布部である。
【００６２】
ここで、積層されたバイポーラ電極板６９内を電流が流れる際には、電極板７０を通して正極層７１および負極層７２の間で電流が流れる。各バイポーラ電極板６９において、電極板７０および正極層７１との接触面積と、電極板７０および負極層７２の接触面積は広く、電気抵抗が低い。その結果、積層されたバイポーラ電極板６９を含む蓄電モジュール６０の電気抵抗も低く抑えることができる。
【００６３】
セパレータ６８は、たとえば、シート状に形成されている。セパレータ６８は、たとえば、ポリエチレン（ＰＥ）、ポリプロピレン（ＰＰ）などのポリオレフィン系樹脂から形成された多孔質フィルム、ポリプロピレン、ポリエテレンテレフタレート(ＰＥＴ)、メチルセルロース等からなる織布及び不織布等から形成されている。
【００６４】
枠体６７は、高さ方向Ｈに積層された枠体７５と、積層された枠体７５を固定する外枠７６とを含む。各枠体７５は、電極板７０の縁部７４を覆うと共に、縁部７４に沿って環状に形成されている。
【００６５】
外枠７６は、高さ方向Ｈの一端に位置する枠体７５と、高さ方向Ｈの他端に位置する枠体７５とに係合しており、積層された複数の枠体７５を固定している。さらに、外枠７６は、積層された枠体７５の周面を覆うように形成されている。
【００６６】
そして、枠体７５と、高さ方向Ｈに隣り合う電極板７０の間には、収容空間７７が形成されており、この収容空間７７内には、正極層７１と、セパレータ６８と、負極層７２と、図示されていない電解液が収容されている。電解液は、たとえば、水酸化カリウム水溶液などのアルカリ溶液などである。
【００６７】
このように、収容空間７７内に、正極層７１と、セパレータ６８と、負極層７２と、電解液とを含む蓄電セル７８が形成されている。そして、複数の蓄電セル７８が電極板７０を通して互いに直列に接続されている。
【００６８】
図６に戻って、各蓄電モジュール６０内において複数のバイポーラ電極板６９が高さ方向Ｈに配列しており、各蓄電モジュール６０も高さ方向Ｈに配列しているため、複数のバイポーラ電極板６９が高さ方向Ｈに配列している。
【００６９】
冷却板６１は、アルミニウムや銅などの導電性の金属材料によって形成されている。このため、各冷却板６１は、高さ方向Ｈに隣り合う蓄電モジュール６０同士を直列に接続している。
【００７０】
蓄電ユニット１０の下端面２０は、冷却板６１Ａが配置されており、正極集電板１１は冷却板６１Ａの下面に接触している。そして、蓄電ユニット１０の上端面２１には、冷却板６１Ｉが配置されており、負極集電板１２は、冷却板６１Ｉの上面に接触している。
【００７１】
絶縁板１６は、正極集電板１１および底板３４の間に配置されており、正極集電板１１および蓄電ユニット１０と、底板３４とを絶縁している。負極集電板１２および収容ケース１５の間に絶縁板１７の主板５０が配置されており、絶縁板１７によって、天板３５および負極集電板１２の間の絶縁が確保されている。
【００７２】
これにより、正極集電板１１、負極集電板１２および蓄電ユニット１０は、収容ケース１５から絶縁されている。
【００７３】
なお、冷却板６１の外表面に、正極集電板１１や負極集電板１２を構成する金属と同じ金属メッキを施してもよい。たとえば、正極集電板１１や負極集電板１２をニッケルで形成する場合には、冷却板６１の外表面をニッケルメッキで被覆する。これにより、冷却板６１Ａと正極集電板１１との間で金属同士が馴染み易く、冷却板６１Ａおよび正極集電板１１の間の接触抵抗を低減することができる。同様に、冷却板６１Ｉおよび負極集電板１２の間の接触抵抗を低減することができる。
【００７４】
また、本実施の形態においては、蓄電モジュール６０の電極板７０もニッケルによって形成されているため、蓄電モジュール６０および冷却板６１の間の接触抵抗も低減されている。
【００７５】
各冷却板６１には、複数の冷却通路６２が短側面２２側から短側面２３側に向けて間隔をあけて形成されている。各冷却通路６２は、幅方向Ｗに延びるように形成されている。そして、各冷却通路６２の一端は、図５に示す長側面２４に露出しており、冷却通路６２の他端は、長側面２５に露出している。
【００７６】
図８は、長側面２４側から見たときにおいて、蓄電ユニット１０などを示す側面図である。なお、この図８においては、長側板３８の一部および蓄電ユニット１０などが示されている。
【００７７】
蓄電ユニット１０は、蓄電ユニット１０内に設けられた複数のセンサ６５を含む。センサ６５としては、たとえば、温度センサや電流センサである。
【００７８】
各センサ６５は、冷却板６１の冷却通路６２内に挿入されており、各冷却板６１に１つのセンサ６５が配置されている。各センサ６５は、幅方向Ｗにおいて、蓄電ユニット１０の略中央部に配置されている。
【００７９】
具体的には、冷却板６１Ａ，６１Ｂ，６１Ｃ，６１Ｄ，６１Ｅ，６１Ｆ，６１Ｇ，６１Ｈ，６１Ｉには、センサ６５Ａ，６５Ｂ，６５Ｃ，６５Ｄ，６５Ｅ，６５Ｆ，６５Ｇ，６５Ｈ，６５Ｉが配置されている。
【００８０】
センサ６５Ａ，６５Ｂ，６５Ｃ，６５Ｄ，６５Ｅ，６５Ｆ，６５Ｇ，６５Ｈ，６５Ｉには、配線６６Ａ，６６Ｂ，６６Ｃ，６６Ｄ，６６Ｅ，６６Ｆ，６６Ｇ，６６Ｈ，６６Ｉが接続されている。
【００８１】
そして、各配線６６Ａ，６６Ｂ，６６Ｃ，６６Ｄ，６６Ｅ，６６Ｆ，６６Ｇ，６６Ｈ，６６Ｉは、各冷却通路６２に挿入されており、各冷却通路６２の長側面２４側の開口部から長側面２４側に引き出されている。
【００８２】
長側面２４に引き出された配線６６Ａ，６６Ｂ，６６Ｃ，６６Ｄ，６６Ｅ，６６Ｆ，６６Ｇ，６６Ｈ，６６Ｉは、短側面２２側から短側面２３側に向かう方向に延び、長側板３８の開口部４８から短側面２３側に引き出されている。
【００８３】
そして、図１に示すように、複数の配線６６は、蓄電ユニット１０に対して短側面２３側に隣り合う位置に設けられた監視ユニット７に接続されている。
【００８４】
その一方で、正極端子１３に接続された電力配線２６と、負極端子１４に接続された電力配線２７とは、蓄電ユニット１０の短側面２２側に隣り合うように配置された接続装置６に接続されている。
【００８５】
このため、電力配線２６，２７を接続装置６に接続したり、配線６６を監視ユニット７に接続する際に、電力配線２６，２７と、配線６６とが入り乱れることを抑制することができる。これにより、電力配線２６，２７を接続装置６に接続したり、配線６６を監視ユニット７に接続することを簡単に行うことができる。
【００８６】
図９は、蓄電パック８を模式的に示す断面図である。蓄電ユニット１０は、収容ケース１５の内周面から間隔をあけて配置されており、蓄電ユニット１０の長側面２４と、収容ケース１５の長側板３８との間には、隙間が形成されており、長側面２４と長側板３８との間の隙間は、冷却風Ｃが流れる通風路８０として機能する。この通風路８０は、冷却風Ｃの流通方向の下流において開口部４８に接続されている。
【００８７】
送風ダクト５は、短側板３６の開口部４２Ａに挿入されており、開口部４２Ａの先端部は、通風路８０の上流部分に配置されている。冷却板６１の冷却通路６２の一方の開口部は長側面２４に開口している。冷却通路６２の他方の開口部は長側面２５に開口している。
【００８８】
送風ダクト５から通風路８０内に供給された冷却風Ｃの少なくとも一部は、短側面２２側から短側面２３に向かう過程において、冷却通路６２内に入り込む。
【００８９】
そして、冷却通路６２内を流通する冷却風Ｃによって、冷却板６１に対して高さ方向Ｈに隣り合う蓄電モジュール６０が冷却される。特に、冷却板６１は、アルミニウムや銅などの熱伝導率が高い金属によって形成されているため、蓄電モジュール６０を良好に冷却することができる。
【００９０】
蓄電ユニット１０は、収容ケース１５に対して傾斜するように配置されている。そして、蓄電ユニット１０の長側面２４と、収容ケース１５の長側板３８の内壁との間の距離が、短側面２２側から短側面２３側に向かうにつれて小さくなるように、蓄電ユニット１０は配置されている。
【００９１】
通風路８０における冷却風Ｃの流路面積は、短側面２２側から短側面２３に向かうにつれて小さくなる。通風路８０の流路面積とは、短側面２２から短側面２３に向かう方向に対して垂直な方向における通風路８０の断面積である。通風路８０の下流部分は、開口部４８に連通している。
【００９２】
図９において、流路面積Ｓ１は、開口部４８よりも僅かに上流側における流路面積であり、流路面積Ｓ１が最小流路面積となっている。
【００９３】
このため、通風路８０の下流側の流通面積が小さいため、通風路８０の下流側における冷却風Ｃの圧力は、通風路８０の上流側の冷却風Ｃの圧力よりも高くなる。
【００９４】
通風路８０内を冷却風Ｃが流れると、流通抵抗により通風路８０の下流側に空気が行き難くなり、通風路８０の下流側に位置する冷却通路６２に冷却風Ｃが入り込み難い。その一方で、通風路８０の下流側の圧力が高いため、結果として、通風路８０内の下流側に位置する冷却通路６２内にも冷却風Ｃが入り込む。その結果、通風路８０の上流側に位置する冷却通路６２と、下流側に位置する冷却通路６２とにおいて、冷却風Ｃが流れる流通量に差が生じることを抑制することができる。
【００９５】
ここで、図９および図８に示すように、複数の配線６６Ａ〜６６Ｉが蓄電ユニット１０の長側面２４から引き出されている。各配線６６Ａ〜６６Ｉが冷却通路６２から引き出される引出し位置は、蓄電ユニット１０の下端面２０側から上端面２１側に向かうにつれて、短側面２２側から短側面２３側に向かうように配置されている。
【００９６】
通風路８０内に配線６６Ａ〜６６Ｉが配置されると、その分、通風路８０の流路面積は小さくなる。本実施の形態においては、上記のように、冷却風Ｃの流通方向の下流側に向けて順次各配線６６が通風路８０内に引き出されている。その結果、通風路８０の上流側から下流側に向かにつれて、配線６６Ａ〜６６Ｉによって流路面積が狭められる。このように、配線６６Ａ〜６６Ｉの引出し位置を調整することによっても、通風路８０の流路面積が小さくなっており、その結果、通風路８０の下流側の圧力が高められている。
【００９７】
なお、各配線６６Ａ〜６６Ｉは、短側面２２側から短側面２３側に向けて延びており、冷却風Ｃの流通方向と同じ方向に延びている。これにより、配線６６Ａ〜６６Ｉは、冷却風Ｃをガイドして、冷却風Ｃの流通抵抗を低減している。
【００９８】
上記のように構成された蓄電パック８の組立方法について説明する。図１０は、蓄電パック８の組立過程を模式的に示す斜視図である。絶縁板１７の主面に、負極集電板１２と、冷却板６１と、蓄電モジュール６０と、正極集電板１１と、絶縁板１６とを積層していく。
【００９９】
この際、絶縁板１７には、支持部材５１Ａ〜５１Ｃが設けられているため、負極集電板１２と、冷却板６１と、蓄電モジュール６０と、正極集電板１１と、絶縁板１６とを積層する際に各部材が位置ずれすることを抑制することができる。
【０１００】
そして、絶縁板１６にはリブ５４が形成されており、正極集電板１１に対して絶縁板１６を正確に位置決めすることができ、絶縁板１６が積層された蓄電ユニット１０に対して位置ずれすることを抑制することができる。
【０１０１】
そして、天板３５および底板３４の間に蓄電ユニット１０および絶縁板１６，１７を挟み込んだ状態で短側板３６，３７と、長側板３８，３９と、天板３５と、底板３４とボルト４０，４１で固定することで、蓄電パック８を作成することができる。
【０１０２】
なお、上記の実施の形態においては、蓄電モジュール６０および冷却板６１の積層方向として高さ方向Ｈとした例について説明したが、蓄電モジュール６０および冷却板６１の積層方向を水平方向にしてもよい。
【０１０３】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【符号の説明】
【０１０４】
１  バッテリアッセンブリ、２  ベース板、３  蓄電装置、４  送風ファン、５  送風ダクト、６  接続装置、７  監視ユニット、８  蓄電パック、１０  蓄電ユニット、１１  正極集電板、１２  負極集電板、１３  正極端子、１４  負極端子、１５  収容ケース、１６，１７  絶縁板、１８，１９  先端部、２０  下端面、２１  上端面、２２，２３  短側面、２４，２５  長側面、２６，２７  電力配線、３０，３１  絶縁スリーブ、３４，５３  底板、３５  天板、３６，３７  短側板、３８，３９  長側板、４０，４１  ボルト、４２，４２Ａ，４３，４８，４９  開口部、４６，４７  凹部、５０  主板、５１Ａ，５１Ｂ，５１Ｃ  支持部材、５４  支持リブ、５５  切欠部、６０  蓄電モジュール、６１，６１Ａ，６１Ｉ  冷却板、６２  冷却通路。
【図１】
2019197670.tif 000003
【図２】
2019197670.tif 000004
【図３】
2019197670.tif 000005
【図４】
2019197670.tif 000006
【図５】
2019197670.tif 000007
【図６】
2019197670.tif 000008
【図７】
2019197670.tif 000009
【図８】
2019197670.tif 000010
【図９】
2019197670.tif 000011
【図１０】
2019197670.tif 000012